(57)【要約】【課題】カバー体が覆う表示部等の物体の財貨感を第１装飾体及び第２装飾体にて高めることができ、また、強度を保ちつつカバー体の厚さを薄くし、カバー体の材料費を削減することができ、覆具のコスト、ひいては表示装置のコストを低減できる覆具、及びこれを備える表示装置を提供する。【解決手段】表示装置の周縁部前側を覆う枠形のカバー体１と、該カバー体１の下部に装着される第１装飾体２及び第２装飾体３とを備え、カバー体１は、第１装飾体２を係止するための係止部１１及び第２装飾体３が取付けられる取付部１２を有し、第１装飾体２は、係止部１１に係止される被係止部２２を有し、第２装飾体３は取付部１２に取付けられる被取付部３１を有し、該第２装飾体３とカバー体１との間に第１装飾体２を配した。【選択図】図５
2010171546.tif 000002
【特許請求の範囲】
【請求項１】
物品の縁部を覆うカバー体と、該カバー体の縁部に装着される第１装飾体及び第２装飾体とを備える覆具であって、前記カバー体は、前記第１装飾体を係止するための係止部及び前記第２装飾体が取付けられる取付部を有し、前記第１装飾体は、前記係止部に係止される被係止部を有し、前記第２装飾体は前記取付部に取付けられる被取付部を有し、該第２装飾体と前記カバー体との間に前記第１装飾体を配してあることを特徴とする覆具。
【請求項２】
前記カバー体は枠形をなし、前記第１装飾体及び第２装飾体は、前記カバー体の縁部に沿って配される杆状をなし、前記係止部及び被係止部と、前記取付部及び被取付部とは、前記第１装飾体及び第２装飾体の長さ方向に離隔して配してある請求項１記載の覆具。
【請求項３】
前記係止部は、その全周に亘って窪む有底の筒形をなし、前記被係止部は凸形をなしている請求項１又は２記載の覆具。
【請求項４】
前記係止部は、該係止部が窪む方向と交差する方向に配されている抜止孔を有し、前記被係止部は前記抜止孔に挿入される抜止凸部を有する請求項３記載の覆具。
【請求項５】
前記カバー体は、前記係止部と離隔した位置に第２係止部を有し、前記第２装飾体は、前記第２係止部に係止される第２被係止部を有する請求項１から４のいずれか一つに記載の覆具。
【請求項６】
前記第２係止部は、前記係止部と離隔した位置に開設された貫通孔の縁部であり、前記第２被係止部は、その先端に爪部を有し、前記貫通孔に挿入される突片である請求項５記載の覆具。
【請求項７】
前記取付部は、雄螺子が挿通される挿通孔を有し、前記被取付部は、その内周に前記雄螺子が螺着される筒形をなし、前記第１装飾体は、前記取付部及び被取付部の間に挾着される被挾着部を有する１から６のいずれか一つに記載の覆具。
【請求項８】
前記挿通孔は前記係止部に配してあり、前記被取付部は前記係止部と対向する位置に配してあり、前記被挾着部は前記被係止部から突出している請求項７記載の覆具。
【請求項９】
表示面を有する表示部を前記物品として備え、該表示部を支持する支持体と、前記表示部の周縁部を覆う請求項１から８のいずれか一つに記載の覆具とを備えることを特徴とする表示装置。
【発明の詳細な説明】
【技術分野】
【０００１】
本発明は表示装置における表示部等の物品の縁部を覆う覆具、及びこれを備えるテレビジョン等の表示装置に関する。
【背景技術】
【０００２】
液晶テレビジョン等の表示装置は、前側に表示面を有し、直方体をなす表示部と、該表示部の後側に配され、表示部を支持する光源部と、前記表示部の周縁部を覆う枠形のカバー体とを備える（例えば、特許文献１参照）。前記カバー体は、矩形をなす合成樹脂製の枠部材と、該枠部材の一縁部に複数の雄螺子にて取付けられたアルミニウム合金製の杆体とを有し、該杆体が枠部材の剛性を高めるとともに、杆体から外部に放熱させ易いように構成されている。
【先行技術文献】
【特許文献】
【０００３】
【特許文献１】特開２００７−２１９１６９号公報
【発明の概要】
【発明が解決しようとする課題】
【０００４】
液晶テレビジョン、プラズマテレビジョン等の表示装置の普及に伴い、表示装置の市場はより一層の薄型化及び大型化へ移行しており、また、多くのメーカから複数の機種が販売され、各メーカ間の性能及びコスト競争も熾烈をきわめているため、性能の差別化を図るだけでなく、低コストで財貨感を高めることができるデザインとし、より一層の差別化を図って購買意欲を高めることが要望されている。
【０００５】
特許文献１の表示装置は、表示部の周縁部を覆う枠部材の一縁部に杆体が取付けられたカバー体を備えるため、合成樹脂製のカバー体を備える表示装置に対しては差別化を図ることができる。しかし、この表示装置にあっては、枠部材とは別個に一つの杆体を有するだけであるため、差別化を図るには未だ不十分である。
【０００６】
ところで、財貨感を高めることができるデザインとするには、前記枠部材に取付ける装飾体の種類を多くすることが考えられる。しかし、複数種類の装飾体夫々を、特許文献１のように雄螺子で取付けた場合、雄螺子の個数が増加するとともに、雄螺子による締結箇所が多くなりコスト高となる。
【０００７】
本発明は斯かる事情に鑑みてなされたものであり、主たる目的はカバー体とは別個に第１装飾体及び第２装飾体を有し、カバー体が覆う表示部を備える表示装置等の物体の財貨感を第１装飾体及び第２装飾体にて高めることができ、また、強度を保ちつつカバー体の厚さを薄くし、カバー体の材料費を削減することができ、覆具のコスト、ひいては表示装置のコストを低減できる覆具、及びこれを備える表示装置を提供することにある。
【課題を解決するための手段】
【０００８】
本発明に係る覆具は、物品の縁部を覆うカバー体と、該カバー体の縁部に装着される第１装飾体及び第２装飾体とを備える覆具であって、前記カバー体は、前記第１装飾体を係止するための係止部及び前記第２装飾体が取付けられる取付部を有し、前記第１装飾体は、前記係止部に係止される被係止部を有し、前記第２装飾体は前記取付部に取付けられる被取付部を有し、該第２装飾体と前記カバー体との間に前記第１装飾体を配してあることを特徴とする。
【０００９】
この発明にあっては、カバー体が覆う物体の財貨感を第１装飾体及び第２装飾体にて高めることができ、しかも、第１装飾体の被係止部をカバー体の係止部に係止した状態で、第２装飾体の被取付部をカバー体の取付部に取付けることにより、第１装飾体をカバー体と第２装飾体との間に保持することが可能であるため、第１装飾体を取付けるための取付部材が必要でなく、取付部材の個数を低減できるとともに、装飾体の取付作業性を高めることができ、コストを低減できる。
【００１０】
また、本発明に係る覆具は、前記カバー体は枠形をなし、前記第１装飾体及び第２装飾体は、前記カバー体の縁部に沿って配される杆状をなし、前記係止部及び被係止部と、前記取付部及び被取付部とは、前記第１装飾体及び第２装飾体の長さ方向に離隔して配してある構成とするのが好ましい。
この発明にあっては、取付部及び被取付部と、係止部及び被係止部とによりカバー体、第１装飾体及び第２装飾体を補強することが可能であるため、表示装置の薄型化及び大型化に伴って薄型化及び大型化される覆具の剛性を高めることができる。
【００１１】
また、本発明に係る覆具は、前記係止部は、その全周に亘って窪む有底の筒形をなし、前記被係止部は凸形をなしている構成とするのが好ましい。
この発明にあっては、係止部の剛性を高めることができるとともに、係止部及び第２装飾体にて袋構造を形成することができ、該袋構造にてカバー体の係止部部分を補強することができるため、強度を保ちつつカバー体の厚さを薄くし、カバー体の材料費を削減することができ、覆具のコストを低減できる。
【００１２】
また、本発明に係る覆具は、前記係止部は、該係止部が窪む方向と交差する方向に配されている抜止孔を有し、前記被係止部は前記抜止孔に挿入される抜止凸部を有する構成とするのが好ましい。
この発明にあっては、被係止部が係止部に係止される際に抜止凸部を抜止孔に挿入することができ、また、抜止凸部の抜止孔への挿入により、第１装飾体の離脱を防ぐことができ、第１装飾体の係止状態を保つことができるため、第２装飾体の取付部での取付けを簡易にできる。
【００１３】
また、本発明に係る覆具は、前記カバー体は、前記係止部と離隔した位置に第２係止部を有し、前記第２装飾体は、前記第２係止部に係止される第２被係止部を有する構成とするのが好ましい。
この発明にあっては、第１装飾体をカバー体に係止した後、第２被係止部を第２係止部に係止することができ、この第２装飾体を係止した状態で該第２装飾体をカバー体に取付けることができるため、第２装飾体の取付部での取付けをより一層簡易にできる。
【００１４】
また、本発明に係る覆具は、前記第２係止部は、前記係止部と離隔した位置に開設された貫通孔の縁部であり、前記第２被係止部は、その先端に爪部を有し、前記貫通孔に挿入される突片である構成とするのが好ましい。
この発明にあっては、第２装飾体のカバー体に対する位置を貫通孔及び突片にて決めることができるため、第２装飾体の取付部での取付けをより一層簡易にできる。
【００１５】
また、本発明に係る覆具は、前記取付部は、雄螺子が挿通される挿通孔を有し、前記被取付部は、その内周に前記雄螺子が螺着される筒形をなし、前記第１装飾体は、前記取付部及び被取付部の間に挾着される被挾着部を有する構成とするのが好ましい。
この発明にあっては、取付部の挿通孔に挿通された雄螺子を筒形の被取付部に螺着することにより、第１装飾体の被挾着部を挾着することができるため、第１装飾体及び第２装飾体をガタ付きなく簡易に装着することができる。
【００１６】
また、本発明に係る覆具は、前記挿通孔は前記係止部に配してあり、前記被取付部は前記係止部と対向する位置に配してあり、前記被挾着部は前記被係止部から突出している構成とするのが好ましい。
この発明にあっては、第１装飾体の被係止部をカバー体の係止部に係止することにより、第１装飾体の被挾着部を挿通孔及び筒部の間に配することができるため、挿通孔及び筒部の位置合わせを殊更行うことなく、被挾着部を挾着固定することができ、第１装飾体の固定作業性を高めることができる。
【００１７】
また、本発明に係る表示装置は、表示面を有する表示部を前記物品として備え、該表示部を支持する支持体と、前記表示部の周縁部を覆う前述した発明の覆具とを備えることを特徴とする。
この発明にあっては、表示部の周縁部を、第１装飾体及び第２装飾体にて財貨感を高めることができる外観及びデザインにすることができ、しかも、第１装飾体の被係止部をカバー体の係止部に係止した状態で、第２装飾体の被取付部をカバー体の取付部に取付けることにより、第１装飾体をカバー体と第２装飾体との間に保持することが可能であるため、第１装飾体を取付けるための取付部材が必要でなく、取付部材の個数を低減できるとともに、装飾体の取付作業性を高めることができ、コストを低減できる。また、第１装飾体及び第２装飾体にてカバー体を補強することができるため、強度を保ちつつカバー体の厚さを薄くし、カバー体の材料費を削減することができ、覆具のコスト、ひいては表示装置のコストを低減できる。
【発明の効果】
【００１８】
本発明によれば、覆具が覆う表示部等の物体の財貨感を第１装飾体及び第２装飾体にて高めることができ、しかも、第２装飾体を取付けることにより第１装飾体をカバー体及び第２装飾体間に保持することが可能であるため、第１装飾体を取付けるための取付部材が必要でなく、取付部材の個数を低減できるとともに、装飾体の取付作業性を高めることができ、コストを低減できる。また、第１装飾体及び第２装飾体にてカバー体を補強することができるため、強度を保ちつつカバー体の厚さを薄くし、カバー体の材料費を削減することができ、覆具のコスト、ひいては表示装置のコストを低減できる。
【図面の簡単な説明】
【００１９】
【図１】本発明に係る覆具を備える表示装置の構成を示す正面図である。
【図２】本発明に係る表示装置の一部を拡大した縦断側面図である。
【図３】本発明に係る覆具の構成を示す分解斜視図である。
【図４】本発明に係る覆具の構成を示す背面側斜視図である。
【図５】本発明に係る覆具における係止部箇所の縦断側面図である。
【図６】本発明に係る覆具における第２の取付部箇所の縦断側面図である。
【図７】本発明に係る覆具における第２係止部箇所の縦断側面図である。
【図８】本発明に係る覆具におけるカバー体の係止部側を拡大した斜視図である。
【図９】本発明に係る覆具における第１装飾体の被係止部を拡大した斜視図である。
【図１０】本発明に係る覆具における第２装飾体の背面図である。
【図１１】本発明に係る覆具の他の構成を示す一部を拡大した断面図である。
【図１２】本発明に係る覆具における第１装飾体の一部を拡大した斜視図である。
【発明を実施するための形態】
【００２０】
以下本発明をその実施の形態を示す図面に基づいて詳述する。
実施の形態１
図１は本発明に係る覆具を備える表示装置の構成を示す正面図、図２は表示装置の一部を拡大した縦断側面図、図３は覆具の構成を示す分解斜視図、図４は覆具の構成を示す背面側斜視図、図５は覆具における係止部箇所の縦断側面図、図６は覆具における第２の取付部箇所の縦断側面図、図７は覆具における第２係止部箇所の縦断側面図である。
【００２１】
図示した覆具Ａは、テレビ画像等を表示し、前面視略直方形をなす表示装置６０の前側に装着されるものであり、表示装置６０における前キャビネット６１を構成するカバー体１と、該カバー体１の下部に取付けられる第１装飾体２及び第２装飾体３とを備える。
【００２２】
図８はカバー体の係止部側を拡大した斜視図である。カバー体１は略長方形の枠形をなし、合成樹脂材にて一体成形されている。カバー体１の下部１ａは図１、図３及び図４に示すように上部１ｂ及び両側部１ｃ，１ｃの幅よりも広幅であり、該下部１ａの長さ方向一端側後面にスピーカが装着されるように構成されている。
【００２３】
下部１ａの長さ方向両端部には、第１装飾体２を係止するための係止部１１，１１及び第２装飾体３が雄螺子４にて取付けられる第１の取付部１２，１２が設けられており、下部１ａの長さ方向中間に、第２装飾体３を係止するための複数の第２係止部１３及び第２装飾体３が雄螺子４にて取付けられる複数の第２の取付部１４が夫々長さ方向に離隔して設けられている。また、下部１ａの内縁近傍には第２装飾体３の上部を係止するための複数の係止孔１５が長さ方向に離隔して前後方向に開設されている。
【００２４】
係止部１１は、その全周に亘って後方へ窪む有底の四角筒形をなし、四角筒形の内面に後記する被係止部２２が係止されており、窪む方向と直交する壁部１１ｂに挿通孔１６が開設され、該挿通孔１６に挿通される雄螺子４にて第２装飾体３を取付けるように構成されている（図５参照）。また、四角筒形の上壁１１ｃに、前記窪む方向と交差する方向（上方）へ貫通する抜止孔１７が開設されている。尚、挿通孔１６を有する壁部１１ｂが第１の取付部１２を構成している。
【００２５】
第２の取付部１４は、その全周に亘って後方へ窪む有底の四角筒形をなし、窪む方向と直交する壁部１４ａに挿通孔１６が開設され、該挿通孔１６に挿通される雄螺子４にて第２装飾体３を取付けるように構成されている（図６参照）。
【００２６】
第２係止部１３は、カバー体１の下部１ａを前後方向へ貫通する貫通孔１８の一縁から後方へ突出された凸部であり（図７参照）、第１及び第２の取付部１２，１４の間に配されている。
【００２７】
図９は第１装飾体の被係止部を拡大した斜視図である。第１装飾体２は、図３に示すように比較的細幅の杆状の板形をなし、透光性を有するポリカーボネートにて成形され、下部１ａの下側に該下部１ａに沿って配されている。
【００２８】
第１装飾体２の長さ方向両端部には、幅方向の上縁から突出する突片２１，２１が設けられ、該突片２１，２１の一部に被係止部２２，２２及び抜止凸部２３，２３が一体に設けられている。また、第１装飾体２における前面の幅方向中間には、長さ方向に沿って凹凸の嵌合条部２４が設けられ、該嵌合条部２４に、細幅のアルミニウム板をＵ字形に湾曲させてなる第３装飾体５が嵌合保持されている。尚、嵌合条部２４における凹条部の一部は図５に示すように凸部成形用に貫通しており、該貫通部に、第３装飾体５の一部を係止するための凸部が設けられている。
【００２９】
被係止部２２は突片２１の横方向一側から後方へ突出する凸部であり、図９に示すように後方へ突出する断面Ｌ字形の下壁２２ａ及び側壁２２ｂと、該下壁２２ａ及び側壁２２ｂの後縁に連なる後壁２２ｃとを有し、四角筒形をなす係止部１１の内面に接触し、該係止部１１に係止されるように構成されている。被係止部２２における後壁２２ｃは、第１の取付部１２と対向する第１の被挾着部２５になっており、挿通孔１６に対応する貫通孔２６が第１の被挾着部２５に開設されている。また、第１の被挾着部２５の上端には、抜止孔１７に嵌合される抜止凸部２３が設けられている。
【００３０】
第１装飾体２の長さ方向中間には、第２の取付部１４と対向する第２の被挾着部２７が一体に設けられている。第２の被挾着部２７は、図６に示すように第１装飾体２の幅方向の上縁から突出する突片２７ａの中間部が後方へ屈曲し、該屈曲した突片２７ａの先部が上方へ屈曲することにより形成されており、挿通孔１６に対応する貫通孔２６が第２の被挾着部２７に開設されている。また、後方へ屈曲した突片２７ａは、四角筒形をなす第２の取付部１４の下壁１４ｂ内面に接触し、第１装飾体２の長さ方向中間部を下壁１４ｂが受止めるように構成されている。
【００３１】
図１０は第２装飾体の背面図である。第２装飾体３は、比較的広幅の杆状の板形をなし、ＡＢＳ樹脂にて成形され、光沢性を有する箔材が前面に熱圧着されることにより光沢層が設けられており、下部１ａの前側に該下部１ａに沿って配されている。
【００３２】
第２装飾体３の長さ方向両端部には、第１の取付部１２，１２と対向する第１の被取付部３１，３１が一体に設けられており、長さ方向の中間には、第２の取付部１４と対向する第２の被取付部３２と、第２係止部１３に対応する第２被係止部３３とが夫々一体に設けられている。また、第２装飾体３の幅方向上縁には係止孔１５に対応する係止凸部３４が設けられ、該係止凸部３４の係止孔１５への挿入により第２装飾体３をカバー体１の下部１ａ前面に密着させることができるように構成されている。
【００３３】
第１及び第２の被取付部３１，３２は、第２装飾体３の後面から後方へ突出された有底の筒形をなし、内側の孔に雄螺子４が螺着されることにより取付部１２，１４と被取付部３１，３２との間で被挾着部２５，２７を挾着することができるように構成されている。
【００３４】
第２被係止部３３は、第２装飾体３の後面から後方へ突出し、その先端に爪部３３ａを有する略コ字形の突片３３ｂからなり、貫通孔１８に挿入された突片３３ｂの爪部３３ａが第２係止部１３に係止されることにより、第２装飾体３を仮保持することができるように構成されている。
【００３５】
以上のように構成された覆具Ａは、カバー体１における下部１ａの下側に第１装飾体２を配置し、該第１装飾体２の抜止凸部２３を抜止孔１７に挿入し、該抜止凸部２３を支点として第１装飾体２を下部１ａ側へ回動させることにより、第１装飾体２の被係止部２２が、四角筒形をなす係止部１１に挿入され、第２の被挾着部２７が、四角筒形をなす第２の取付部１４に挿入され、被係止部２２が係止部１１にて係止され、カバー体１の下部１ａに第１装飾体２を位置決めして仮保持することができ、第１装飾体２が自重によって外れるのを防ぐことができる。この際、第１の被挾着部２５は第１の取付部１２と対向し、第２の被挾着部２７は第２の取付部１４と対向する。
【００３６】
第１装飾体２を仮保持した後、カバー体１における下部１ａの前側に第２装飾体３を配置し、該第２装飾体３の係止凸部３４を係止孔１５に挿入し、該係止凸部３４を支点として第２装飾体３を下部１ａ側へ回動させることにより、第２装飾体３の第１の被取付部３１が、四角筒形をなす係止部１１に挿入されて第１の被挾着部２５と対向し、第２の被取付部が、四角筒形をなす第２の取付部１４に挿入されて第２の被挾着部２７と対向し、さらに第２被係止部３３の突片３３ｂが貫通孔１８に挿入され、爪部３３ａが第２係止部１３に係止され、カバー体１の下部１ａに第２装飾体３を位置決めして仮保持することができる。
【００３７】
第２装飾体３を仮保持した後、カバー体１の後側から該カバー体１の挿通孔１６、及び第１装飾体２の貫通孔２６に雄螺子４を挿入し、該雄螺子４を筒形の被取付部３１，３２に螺着することにより、第１装飾体２の被挾着部２５，２７を挾着することができるとともに、被取付部３１，３２を取付部１２，１４に固定することができる。
【００３８】
このように、第１装飾体２は雄螺子４を用いることなくカバー体１に仮保持することができ、この仮保持の状態で第２装飾体３を雄螺子４にてカバー体１に固定することができるとともに、第１装飾体２を挾着固定することができるため、２種類の装飾体を比較的少ない雄螺子４にて簡易に取付けることができる。
【００３９】
また、第１装飾体２は枠形をなすカバー体１の下側に配されて、該カバー体１の下側を装飾し、第２装飾体３はカバー体１の下部１ａ前側に配されて、該下部１ａの前側を装飾しており、さらに、第１装飾体２は透光性を有する合成樹脂材にて比較的細幅の杆状をなし、第２装飾体３は光沢層を有する合成樹脂材にて比較的広幅の杆状をなし、装飾箇所、装飾デザイン及び材質をいずれも異にするから、カバー体１における下部１ａ側の装飾性を高めることができる。
【００４０】
また、カバー体１における下部１ａの長さ方向両端部には有底の四角筒形をなす係止部１１，１１があり、この係止部１１，１１の開放側を第２装飾体３が閉鎖し、袋構造が形成されているため、該袋構造にてカバー体１における下部１ａの長さ方向両端部を補強することができる。因って、強度を保ちつつカバー体１の厚さを薄くし、枠形をなすカバー体１の材料費を削減することができ、覆具Ａのコストを低減できる。
【００４１】
以上のように構成された覆具Ａが装着される表示装置６０は、テレビ画像等を表示する表示面６２ａを前側に有し、略直方体をなす表示部６２と、該表示部６２の後側に配され、該表示部６２を支持する光源部６３と、該光源部６３及び表示部６２間に配されている光学シート６４と、表示部６２の周縁部及び周縁部前側を覆う前キャビネット６１と、光源部６３の周縁部及び後側を覆う後キャビネット６５と、表示部６２及び光源部６３を起立状態に支持するスタンド６６とを備え、覆具Ａが前キャビネット６１を構成している。
【００４２】
覆具Ａにおけるカバー体１の後面には、後方へ突出する複数の取付ボス６７が周方向に離隔して一体に設けられており、また、後キャビネット６５の前面には、前方へ突出する複数の取付ボスが周方向に離隔して一体に設けられており、取付ボス６７に対応する取付孔が光源部６３の周縁部に開設され、取付孔に挿入する雄螺子が取付ボス６７に螺着されることにより覆具Ａ及び後キャビネット６５が光源部６３に装着されている。
【００４３】
実施の形態２
図１１は覆具の他の構成を示す一部を拡大した断面図、図１２は第１装飾体の一部を拡大した斜視図である。この覆具は、第１装飾体の長さ方向両端部に設けられる被係止部２２が、下壁２２ａから下方へ突出するリブ２２ｄを有し、該リブ２２ｄが、四角筒形をなす係止部１１の下壁１１ａ内面に接触して係止される構成としたものである。
【００４４】
この実施の形態にあっては、第１装飾体２の抜止凸部２３を抜止孔１７に挿入し、該抜止凸部２３を支点として第１装飾体２を下部１ａ側へ回動させるとき、四角筒形をなす係止部１１の下壁１１ａにリブ２２ｄが接触するため、被係止部２２を係止部１１に係止させ易く、第１装飾体２の取付作業性を高めることができる。
【００４５】
また、被係止部２２が有するリブ２２ｄにて、杆状をなす第１装飾体２の長さ方向両端側の断面二次モーメントを大きくすることができ、曲げ及びねじり荷重に対する強度を高めることができるため、外力に対して第１装飾体２が変形し難くすることができ、また、成形時における合成樹脂材料の流動性を確保することができるため、覆具Ａが大型になる場合であっても成形時にショートを生じ難くすることができる。
【００４６】
尚、以上説明した実施の形態では、テレビジョン等の表示装置６０の前キャビネット６１を構成する覆具Ａについて説明したが、その他、覆具Ａは表示装置６０以外の物品の一部を覆うカバー体１を有する構成であればよく、覆具Ａが覆う物品は特に制限されない。
【００４７】
また、以上説明した実施の形態では、第２装飾体３を雄螺子４にて取付ける構成としたが、その他、第２装飾体３は雄螺子４を用いることなく、第２被係止部３３を第２係止部１３に係止することにより取付ける構成としてもよい。この場合、第２係止部１３が取付部１２，１４となり、第２被係止部３３が被取付部３１，３２となる。
【００４８】
また、以上説明した実施の形態では、係止部１１及び被係止部２２にて第１装飾体２を位置決めして仮保持し、さらに被挾着部２５，２７にて挾着する構成としたが、その他、第１装飾体２は被挾着部２５，２７がなく、被係止部２２にて仮保持される構成としてもよい。
【００４９】
また、以上説明した実施の形態では、係止部１１及び被係止部２２の配置箇所に第１の取付部１２を設けたが、その他、第１の取付部１２は係止部１１及び被係止部２２と離隔した箇所に配してもよい。
【００５０】
また、以上説明した実施の形態では、カバー体１が第１及び第２の取付部１２，１４を有する構成としたが、その他、第１及び第２の取付部１２，１４の一方をなくした構成としてもよい。
【００５１】
また、以上説明した実施の形態では、枠形をなすカバー体１の下部に第１装飾体２及び第２装飾体３を取付ける構成としたが、その他、第１装飾体２及び第２装飾体３は、カバー体１における上部、一側部又は両側部の少なくとも一つに取付ける構成としてもよい。
【００５２】
また、以上説明した実施の形態では、有底の四角筒形をなす係止部１１の下壁１１ａ内面に被係止部２２が接触して係止される構成としたが、その他、被係止部２２は四角筒形をなす係止部１１の周面に接触して係止される構造であればよく、被係止部２２の構造は特に制限されない。また、係止部１１の構造も特に制限されない。
【００５３】
また、以上説明した実施の形態では、係止部の箇所に第１の取付部を配し、第２係止部の箇所に第２の取付部を配したが、その他、第１及び第２の取付部の配置箇所は特に制限されない。また、第１及び第２の取付部の一方をなくした構成としてもよい。
【００５４】
また、以上説明した実施の形態では、略長方形の枠形をなすカバー体１を備える構成としたが、その他、カバー体１の形状は特に制限されない。
【符号の説明】
【００５５】
Ａ    覆具
１    カバー体
１１  係止部
１２，１４  取付部
１６  挿通孔
１７  抜止孔
１８  貫通孔
２    第１装飾体
２２  被係止部
２３  抜止凸部
２５，２７  被挾着部
３    第２装飾体
３１，３２  被取付部
３３  第２被係止部
３３ａ  爪部
３３ｂ  突片
４    雄螺子
６０  表示装置
６１  前キャビネット（覆具）
６３  光源部（支持体）
【図１】
2010171546.tif 000003
【図２】
2010171546.tif 000004
【図３】
2010171546.tif 000005
【図４】
2010171546.tif 000006
【図５】
2010171546.tif 000007
【図６】
2010171546.tif 000008
【図７】
2010171546.tif 000009
【図８】
2010171546.tif 000010
【図９】
2010171546.tif 000011
【図１０】
2010171546.tif 000012
【図１１】
2010171546.tif 000013
【図１２】
2010171546.tif 000014